(57)【要約】【課題】  種々のドアや広範囲なドアの開放角度に対応可能で、装着時の美観を損なうことのない安全で確実に指挟みを防止することのできるドアの指挟み防止具を提供することを目的とするものである。【解決手段】  ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対として、前記カバープレート同士を互いに離間するように横方向にスライドし、その面積を拡張するようにしたことで、ドアの開放にともなって生じる隙間に伴って広く遮蔽し、誤って指を差し込んでしまうことを防止する。【選択図】図１
0003130447.tif 000002
【実用新案登録請求の範囲】
【請求項１】
ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対として、前記カバープレート同士を互いに離間するように横方向にスライド可能にジョイントした構造を特徴とするドアの指挟み防止具。
【請求項２】
ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対とするとともに、さらにエクステンションプレートを、第１カバー部材及び第２カバー部材のカバープレートの間に設けて、前記カバープレート同士が互いにさらに離間するように横方向にスライド可能にジョイントした構造としたことを特徴とするドアの指挟み防止具。
【考案の詳細な説明】
【技術分野】
【０００１】  本考案は、ドアの開放時に生じるヒンジ側の隙間に、指が挟み込まれる事故を防止するための指挟み防止具に関する。
【背景技術】
【０００２】  従来、ドア枠にドアヒンジを介して取り付けられたドアの開放時に生じる隙間に指を挟み込み怪我をする事故が多発しており、強いては指を切断する事故まで発生している。そこで、そのような事故を防止するために、ドアのヒンジ部分の開放側に指が誤って入らないようにする種々の防止具が提案されている。
例えば特許文献１の特開平１０−１８４１８４号公報に開示された「ヒンジ式ドアの指詰め防止構造」は、ドア本体とドア開口枠部との間のドア閉じ方向側のコーナー部分を伸縮可能にアコーディオン状に形成したカバー部材で覆うようにして、ドア開放時に指が誤ってドア本体とドア開口枠部との間に位置していてもその間に差し込んでしまうことをなくしたものである。また、何らかの原因で指がドア本体とドア開口枠部との間に差し込まれていてもドアを閉鎖する際の蛇腹状のカバー部材の復元によって指がドア本体とドア開口枠部との間から押し出される結果、指の挟み込みが確実に防止されるものである。【０００３】  また、特許文献２の特開平１０−１３１６０７号公報に開示された「ドアの指つめ防止カバー」は、４枚の板状のカバーから構成されそれぞれは折り曲り自由な折り曲り部でつながっており、両端部のカバーにはドア枠及びドアに取り付けるための両面テープが貼付けられている。カバーを取り付けた状態でドアをいっぱいに開けた位置において、中央部のカバーは手前に折れた形となるような幅の寸法設定としているので、あえて手で押さえてもカバーは向こう側にへこむことがないので安全である。また、ドアの開く角度やドアの種類などにより、カバーの幅を変えることで種々のドアへの取り付けに対応することができるものである。【０００４】  さらに、特許文献３の特開平１０−１０２８９８号公報に開示された「ドアの開閉時における危険防止具」は、やや柔軟性を有する素材により薄板状に形成された保護部材を用いて、ドアを開いた場合に形成される隙間を覆設するように構成し、ドアの連結側端部に取付けられた収納部材や、ドアの内部に形成された収納溝に、前記保護部材の隙間遮蔽部を摺動自在に収納するように構成した。これにより、ドアの開閉に影響を与えるようなこともなく、さらに隙間部分を湾曲状の隙間遮蔽部で覆設するようになっているので、ドアの美観を損なうことがなく、既成のドアにも簡単に取付けることができるものである。【０００５】
【特許文献１】  特開平１０−１８４１８４号公報
【特許文献２】  特開平１０−１３１６０７号公報
【特許文献３】  特開平１０−１０２８９８号公報
【考案の開示】
【考案が解決しようとする課題】
【０００６】  ところで、特許文献１の「ヒンジ式ドアの指詰め防止構造」にあっては、何らかの原因で指がドア本体とドア開口枠部との間に差し込まれていてもドアを閉鎖する際のアコーディオン状に形成したカバー部材の復元によって指がドア本体とドア開口枠部との間から押し出される結果、指の挟み込みが防止されるものであるが、合成樹脂、ゴムなどの可撓性の材質からなるカバー部材の所定の硬度が得られない場合は、ドア本体とドア開口枠部との間に差し込まれていてもカバー部材が復元せずに指がドア本体とドア開口枠部との間に挟まれてしまうという課題がある。また、ドアの開放にともなってアコーディオン状のカバー部材が伸張するが、該カバー部材が最大限に伸張したときがドアの最大開放角度となり、ドアの使用状況によってはドアの開放角度に制限が課せられてしまう。さらに、ドアを閉めた状態でのアコーディオン状のカバー部材は、最小に圧縮された状態となるので、ドアとドア枠の間にカバー部材が膨出し、一際その存在感が顕わになり、外観上の問題を呈するものである。【０００７】  また、特許文献２の「ドアの指つめ防止カバー」にあっては、ドアの開く角度やドアの種類などにより、カバーの幅を変えることで種々のドアへの取り付けに対応しているため、汎用性に著しく欠けるという課題がある。ドア製造メーカーがドアにあらかじめこのカバーを取り付けた製品として出荷するのであれば差し支えないが、既成のドアに取り付けが可能なように製品化をする場合は、最大公約数的な寸法設定あるいは相当数の寸法のバリエーションが必要となってしまう。金型投資などコスト面においても極めて大きな課題を残すものである。また、カバーを取り付けた状態でドアを閉めた位置においては、中央部のカバーが手前に鋭角に突起するといった安全上の問題もある。【０００８】  さらに、特許文献３の「ドアの開閉時における危険防止具」にあっては、やや柔軟性を有する薄板状の保護部材を、ドアを開いた場合に形成される隙間を覆設するように、ドアの連結側端部に取付けられた収納部材や、ドアの内部に形成された収納溝に、前記保護部材の隙間遮蔽部を摺動自在に収納するように構成し、ドアの開閉に影響を与えず、さらに隙間部分を湾曲状の隙間遮蔽部で覆設するので、ドアの美観を損なうことがなく、既成のドアにも簡単に取付けることができるものであるが、ドアの種類や開閉角度により、保護部材の隙間遮蔽部の長さを適切に設定する必要がある。前記、特許文献２と同様に、ドア製造メーカーがドアにあらかじめ保護部材を収納した製品として出荷するのであれば差し支えないが、既成のドアに取り付けが可能なように製品化をする場合は、最大公約数的な寸法設定あるいは相当数の寸法のバリエーションが必要となり、さらには金型投資などコスト面においても極めて大きな課題を残すものである。また、ドアの全面にガラスが嵌め込んである場合は、ガラスの周囲に枠が存在することになるが、ドアの連結側端部に取付けられた収納部材が、ガラスの背面から丸見えになり、外観上見苦しい点を否めない。【０００９】  そこで、本考案は上記した課題を考慮し、種々のドアや広範囲なドアの開放角度に対応可能で、装着時の美観を損なうことのない安全で確実���指挟みを防止することのできるドアの指挟み防止具を提供することを目的とするものである。
【課題を解決するための手段】
【００１０】  ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対として、前記カバープレート同士を互いに離間するように横方向にスライド可能にジョイントした構造とすることで解決される。【００１１】  また、ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対とするとともに、さらにエクステンションプレートを、第１カバー部材及び第２カバー部材のカバープレートの間に設けて、前記カバープレート同士が互いにさらに離間するように横方向にスライド可能にジョイントした構造とすることで解決される。
【考案の効果】
【００１２】  ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対として、前記カバープレート同士を互いに離間するように横方向にスライド可能にジョイントしたので、ドアの開放にともなって生じる隙間を広く遮蔽し、誤って指を差し込んでしまうことを防止する。また、ドアの閉鎖時は、ドア枠とドアの９０°の内角を斜め４５°で遮蔽することになるので外観上も極めて違和感がない優れたドアの指挟み防止具を提供することが可能となったものである。【００１３】  また、ドア枠にドアヒンジを介して取り付けられたドアの開放時に生じる隙間に指を挟み込むことを防ぐ防止具において、固定部材と、連結プレートと、カバープレートとを屈曲可能にジョイントした第１カバー部材と、前記第１カバー部材と同一に構成した第２カバー部材とを、双方のカバープレート同士を互いに重ね合わせるように対向させて一対とするとともに、さらにエクステンションプレートを、第１カバー部材及び第２カバー部材のカバープレートの間に設けて、前記カバープレート同士が互いにさらに離間するように横方向にスライド可能にジョイントしたので、ドアの開放にともなって生じる隙間をさらに広く遮蔽し、９０°以上に開放したドアの隙間を遮蔽することも可能となり、誤って指を差し込んでしまうことを防止する。また、ドアの閉鎖時は、ドア枠とドアの９０°の内角を斜め４５°で遮蔽することになるので外観上も極めて違和感がない優れたドアの指挟み防止具を提供することが可能となったものである。
【考案を実施するための最良の形態】
【００１４】  次に、本考案のドアの指挟み防止具について、図面を参照して詳細に説明する。図１は、本考案の第１の実施例の全体図であり、ドアとドア枠に本考案のドアの指挟み防止具（１）を取り付けた状態を表したものである。ドアの指挟み防止具（１）は板状の材料からなり、固定部材（２ａ）、連結プレート（２ｂ）、カバープレート（２ｃ）とを屈曲可能にジョイントして構成した第１カバー部材（２）と、前記第１カバー部材（２）と同様に、固定部材（３ａ）、連結プレート（３ｂ）、カバープレート（３ｃ）とを屈曲可能にジョイントして構成した第２カバー部材（３）とを、カバープレート（２ｃ）と（３ｃ）を互いに重ね合わせるとともに対向させて一対として構成した。そして前記カバープレート（２ｃ）と（３ｃ）各々に設けられた長孔（２ｄ）と（３ｄ）をビス（２ｅ）で挿通してジョイントし、本考案のドアの指挟み防止具（１）を構成した。このように構成されたドアの指挟み防止具（１）は、固定部材（２ａ）をドア枠（５）の図１に表された部分に両面粘着テープを用いたり、図示しないが固定部材（２ａ）の適宜な位置にビス穴を開孔して木ネジなどで固定してもよい。他方、固定部材（３ａ）も同様な手段でドア（６）の図１に表された部分に固定することで取り付けられる。【００１５】  前記したように取り付けられたドアの指挟み防止具（１）は、ドアを閉鎖した状態を示す図２、ドアを９０°開放した状態を示す図３、ドアを全開（約１７０°）した状態を示す図４に表されるように、ドアの開放動作にともなって第２カバー部材（３）全体が引っ張られ、カバープレート（３ｃ）がカバープレート（２ｃ）から長孔（２ｄ）と（３ｄ）に沿ってスライドしながら離間して、カバープレート（２ｃ）と（３ｃ）とで幅広い遮蔽面積を形成し、誤って指を差し込んでしまうことを効果的に防止する。また、図２に示すようにドアの閉鎖時は、ドア枠とドアの９０°の内角を斜めに、４５°で遮蔽することになるので外側に突出するような部分がないので安全で、外観上全く違和感がなく、かつ装着を感じさせないなどの優れた効果を奏するドアの指挟み防止具を提供することが可能となったものである。【００１６】  次に、本考案の第２の実施例について、図面を参照して詳細に説明する。図５は、本考案の第２の実施例の全体図であり、ドアとドア枠に本考案のドアの指挟み防止具（１０）を取り付けた状態を表したものである。ドアの指挟み防止具（１０）は板状の材料からなり、固定部材（２０ａ）、連結プレート（２０ｂ）、カバープレート（２０ｃ）とを屈曲可能にジョイントして構成した第１カバー部材（２０）と、前記第１カバー部材（２０）と同様に、固定部材（３０ａ）、連結プレート（３０ｂ）、カバープレート（３０ｃ）とを屈曲可能にジョイントして構成した第２カバー部材（３０）とを、カバープレート（２０ｃ）と（３０ｃ）の開放側端面が互いに向き合うように対向させて一対として構成し、さらにその間にエクステンションプレート（４０）を設けた。エクステンションプレート（４０）の背面には、カバープレート（２０ｃ）とカバープレート（３０ｃ）に設けられた長孔（２０ｄ）と（３０ｄ）に相対する位置に嵌入するために、ボス（２０ｅ���と（３０ｅ）を突設し、カバープレート（２０ｃ）とエクステンションプレート（４０）、連続して該エクステンションプレート（４０）とカバープレート（３０ｃ）を長孔に沿ってスライド可能にジョイントする。カバープレート（２０ｃ）と（３０ｃ）の端部に設けられた切り欠き（２０ｇ）と（３０ｇ）は、ドアの閉鎖時にエクステンションプレート（４０）の幅にカバープレート（２０ｃ）と（３０ｃ）がスライドして収まり最小の幅となるように、ボス（２０ｅ）と（３０ｅ）を逃げるために設けたものである。そして、図５に表されるように、エクステンションプレート（４０）の後ろ側にはカバープレート（２０ｃ）を介してスペーサープレート（４１）を設け、さらにその後ろにカバープレート（３０ｃ）を配置し重ね合わせ長孔を挿通したボスの端部はストッパー（２０ｆ）を嵌めて固定しドアの指挟み防止具（１０）を構成した。このスペーサープレート（４１）はドアを閉鎖する際に、カバープレート（２０ｃ）と（３０ｃ）の端部同士が当たらないようにするために設けたものである。【００１７】  このように構成されたドアの指挟み防止具（１０）は、固定部材（２０ａ）をドア枠（５）の図５に表された部分に両面粘着テープを用いたり、図示しないが固定部材（２０ａ）の適宜な位置にビス穴を開孔して木ネジなどで固定してもよい。他方、固定部材（３０ａ）を固定部材（２０ａ）と同様な手段でドア（６）の図５に表された部分に固定することで取り付けられる。【００１８】  前記したように取り付けられたドアの指挟み防止具（１０）は、ドアを閉鎖した状態を示す図６、ドアを９０°開放した状態を示す図７、ドアを全開（約１７０°）した状態を示す図８に表されるように、ドアの開放動作にともなって第２カバー部材（３０）、エクステンションプレート（４０）、第１カバー部材（２０）の順に次々と長孔（２ｄ）と（３０ｄ）に沿ってスライドしながら離間し拡張され、カバープレート（２０ｃ）と（３０ｃ）及びエクステンションプレート（４０）とで第１実施例と比較してさらに幅広い遮蔽面積を形成することになり、誤って指を差し込んでしまうことを効果的に防止する。また、第１カバー部材（２０）と第２カバー部材（３０）はそれぞれ固定部材、連結プレート、カバープレートとを屈曲可能にジョイントし、構成しているので、各ジョイント部分もドアの開閉にともなって屈曲角度を可変する。これにより、カバープレート（２０ｃ）とエクステンションプレート（４０）とカバープレート（３０ｃ）のスライド離間拡張動作と併せて、よりドアの開閉動作に対してスムースな動きをするようになる。さらに、図６に示すようにドアの閉鎖時は、ドア枠とドアの９０°の内角を斜めに、４５°で遮蔽することになるので外側に突出するような部分がないので安全で、外観上極めて違和感のない、かつ装着を感じさせないなどの優れた効果を奏するドアの指挟み防止具を提供することが可能となったものである。【００１９】  なお、第１及び第２実施例においては、ドアの指挟み防止具の長手方向の寸法を３０ｃｍとして、必要に応じて上下方向に連設するようにした。連接するための構造については特に図示しないが、ドアの指挟み防止具（１）及び（１０）の上端��下端部にダボ、ホゾなどの手段を用いて接合すれば良い。例えば一般的な上下の寸法が１８０ｃｍのドアで、上から下までを遮蔽するならば６個連設すればすべてを遮蔽することが可能となり、指挟み事故の多い３歳児前後の事故を主に防止するのであれば１００ｃｍ程度の身長で手を上に伸ばした様を鑑み、下から５個連設すれば１５０ｃｍの高さまでは遮蔽が可能となる。状況に応じて必要な高さ分を取り付ければよいので無駄なく低コストでドアの指挟み防止具を提供することが可能となったものである。また、これにより大きな金型を必要とせず、製造コストにも大きく寄与するものである。もちろんドアの上から下までを一連で遮蔽できるような長い寸法のものも、本考案の技術的範囲に含まれることは言うまでもない。【００２０】  また、第１及び第２カバー部材を構成する固定部材、連結プレート、カバープレートは屈曲可能に板状の材料でジョイントする構成としたが、それぞれが屈曲可能となるのであればＰＰヒンジ、蝶板などの他の屈曲手段を用いて構成しても良いことは言うまでもない。なお、板状の材料とは本考案を製造するに当たり適した材料であれば材質を問うものではなく、樹脂材料であれば、ＰＰ、ＡＢＳ、硬質塩ビなど、金属材料であれば、アルミ、ステンレスなど所望のコスト、外観に応じて適宜選択すればよい。【００２１】  さらに、本考案の第１の実施例においては、第１カバー部材（２）と第２カバー部材（３）のカバープレート（２ｃ）と（３ｃ）が長孔とビスによりスライドしてドアの開閉に伴って生じる隙間の変化に対応するように、遮蔽面積を拡張可能としたが、長孔とビス以外のジョイント構造でもカバープレートがスライドするのであれば本考案の技術的範囲に含まれることは言うまでもない。さらにまた、本考案の第２の実施例においても第１カバー部材（２０）と第２カバー部材（３０）のカバープレート（２ｃ）と（３ｃ）及びエクステンションプレート（４０）とを、長孔とボスによりスライドしてドアの開閉に伴って生じる隙間の変化に対応するように遮蔽面積を拡張可能としたが、長孔とボス以外のジョイント構造でもカバープレートとエクステンションプレートがスライドするのであれば本考案の技術的範囲に含まれることは言うまでもない。
【図面の簡単な説明】
【００２２】
【図１】第１実施例のドアの指挟み防止具を取り付けた状態を表した図である。
【図２】第１実施例のドアを閉鎖した状態を示す図である。
【図３】第１実施例のドアを９０°開放した状態を示す図である。
【図４】第１実施例のドアを全開した状態を示す図である。
【図５】第２実施例のドアの指挟み防止具を取り付けた状態を表した図である。
【図６】第２実施例のドアを閉鎖した状態を示す図である。
【図７】第２実施例のドアを９０°開放した状態を示す図である。
【図８】第２実施例のドアを全開した状態を示す図である。
【符号の説明】
【００２３】１、１０                    ドアの指挟み防止具
２、２０                    第１カバー部材
３、３０                    第２カバー部材
２ａ、３ａ、２０ａ、３０ａ  固定部材
２ｂ、３ｂ、２０ｂ、３０ｂ  連結プレート
２ｃ、３ｃ、２０ｃ、３０ｃ  カバープレート
２ｄ、３ｄ、２０ｄ、３０ｄ  長孔
２ｅ                        ビス
２０ｅ、３０ｅ              ボス
２０ｆ                      ストッパー
２０ｇ、３０ｇ              切り欠き
４０                        エクステンションプレート
４１                        スペーサープレート
５                          ドア枠
６                          ドア
７                          ドアヒンジ
【図１】
0003130447.tif 000003
【図２】
0003130447.tif 000004
【図３】
0003130447.tif 000005
【図４】
0003130447.tif 000006
【図５】
0003130447.tif 000007
【図６】
0003130447.tif 000008
【図７】
0003130447.tif 000009
【図８】
0003130447.tif 000010